(57)【要約】【課題】下水設備のない場所で使用でき、悪臭がなく、槽が満杯となることなく、汲み取り不用かつユニット毎交換する必要のない、強風で倒れることのない、移動式ユニット気化トイレを提供する。【解決手段】床下に便尿処理槽４を有し、床６上に水洗便器８を有する便室２からなる移動式ユニット気化トイレ１において、便尿処理槽４の周囲に貯水槽１１を設け、便尿処理槽４を隔壁１３で一次処理槽１４と気化槽１５に区分し、一次処理槽１４に便尿及び水洗水を受け入れこれらの汚物を槽底に配した環状空気噴出管１６と中央の中央空気噴出管１８より空気噴出して空気攪拌し好気性微生物により水と窒素、水素、二酸化炭素などの気体に分解し、得られた汚水３２をさらに溢流管２９から粗大夾雑物をろ過ネットで分離し気化槽１５に流入させ、槽底部の環状電気ヒーター３５加熱し汚水層表面３４上に空気供給管２４から空気を付与し好気性微生物によりさらに水素、窒素、水、炭酸ガスの気体に分解して排気筒３６から排気する。【選択図】        図１
2004150086.tif 000002
【特許請求の範囲】
【請求項１】
床下部に便尿を収容する便尿処理槽を有し、床上に軽水洗の水洗便器を備えた便室と便室建屋を有する移動式ユニット気化トイレにおいて、
便室の床下の便尿処理槽の周囲に水洗用の水を貯蔵する貯水槽を配設し、便尿処理槽の側部にブロワー室を設け、便尿処理槽はその下部を隔壁で仕切って一次処理槽と気化槽とし、
該一次処理槽は、底部に水洗便器から受け入れた便尿及び水洗水からなる汚物層内に空気を噴出して空気攪拌する多数の散気口を有する環状空気噴出管と該環状空気噴出管の中央に前記散気口より大きな空気噴出口を有する中央空気噴出管を配設し、それらの環状空気噴出管と中央空気噴出管に配管によりブロワー室に設置のそれぞれのブロワーを接続し、該環状空気噴出管と間隔を空けた上方の汚物層内に汚物層を常温に加熱する環状電気ヒーターを配設し、さらに汚物層表面に空気を供給するために汚物層表面上で開口する空気供給管をブロワー室に設けたファンに接続し、汚物層内に噴出の攪拌空気と汚物層表面に供給の空気を汚物層内の好気性微生物に供給して汚物を一次分解して硝酸塩を含有する汚水と水素、窒素、炭酸ガスからなる気体とする処理槽とし、
該一次処理槽と該気化槽を区画する隔壁の該一次処理槽側の上部に溢流口を配設しかつ該気化槽内にその出口を配設して該一次処理槽から該気化槽に一次分解した汚水を供給する溢流管を配設し、
該気化層は、汚水中の未分解の粗大夾雑物を分離する袋状のろ過ネットを該溢流管の出口に配設して有し、粗大夾雑物を除去して受容した汚水層表面上で開口して汚水層表面に空気を吹き出す空気供給管を該ブロワー室に設けたファンに接続し、槽底部に汚水を常温に加熱する環状電気ヒーターを配設し、該空気供給管から汚水層表面に吹き出した空気を汚水層内の好気性微生物に供給して硝酸塩を含有する汚水をさらに分解して水と水素、窒素、と炭酸ガスからなる気体に二次分解し、該環状電気ヒーターの加熱により生成した水を気化する気化槽とし、
分解により生成の気体および気化した気体を排出する排気筒を該気化槽上の便室建屋の床から建屋外に立設したことを特徴とする移動式ユニット気化トイレ。
【請求項２】
気化槽は底部に環状凹溝を設けて該環状凹溝を硝酸塩を含む汚水および分解された水の貯留部とし、かつ、環状電気ヒーターを該環状凹溝の貯留部内に配設したことを特徴とする請求項１に記載の移動式ユニット気化トイレ。
【請求項３】
便尿処理槽の一方の側部はその下部を水洗用の水を貯蔵する貯水槽とし上部をブロワー室としたことを特徴とする請求項１又は請求項２に記載の移動式ユニット気化トイレ。
【請求項４】
水洗用の水を貯蔵する貯水槽は槽内底部に水洗用の水を硬度を高めて硬水にする成分を含有する鉱石を配設したことを特徴とする請求項１〜３のいずれか１項に記載の移動式ユニット気化トイレ。
【請求項５】
気化槽はその後部の下部に水洗用の水を貯蔵する貯水槽の一部を配置し、該貯水槽の部分の天壁の上面を底面とする領域を気化槽と一体の空隙部とし、該空隙部の底面の天板上を溢流管の出口に配設して使用した使用済みの袋状のろ過ネットを乾燥する乾燥棚としていることを特徴とする請求項１〜４のいずれか１項に記載の移動式ユニット気化トイレ。
【発明の詳細な説明】
【０００１】
【発明の属する技術分野】
本発明は、工事現場や大勢の人の集まる所に臨時に設置する移動式ユニットトイレに関する。
【０００２】
【従来の技術】
建設現場や土木工事現場等に一時的に仮設する移動式ユニットトイレは、下水や水道の設備のない場所では、便器を置いた床下に貯留タイプの便槽を設けて便器の周囲を小室として囲ってユニット化したもので、便槽は貯留タイプのため便槽が満杯になると使用できなくなり、汲み取りを必要とするか、あるいは、ユニットごと運び出して溜まった便尿を取り出して空にして再び使用場所に運び込む必要があった。また、下水や水道が設備された場所に仮設する移動式ユニットトイレは、水洗式の便器と該便器からの便尿を下水の放流口に流す配管をユニットに具備するタイプのものであった。前者の移動式ユニットトイレは便槽が満杯になると使用できなくなり、また、悪臭が強く、トイレ内だけでなく周囲にも不快な臭いをたちこめた。後者の水洗式の移動式ユニットトイレは清潔であるが、下水や水道が設備された場所にしか設置出来ない問題があった。
【０００３】
そこで、本願の出願人は、上記の従来の移動式ユニットトイレの有する問題を解消して、下水や水道の設備のない場所でも使用でき、悪臭がなく、処理槽が満杯となることなく、従って、汲み取りを不用とし、また、ユニット毎交換する必要のない、清潔で、さらに真夏の炎天下でも不快な暑さが少ない気化式の移動式ユニット気化トイレを開発している（例えば、特許文献１参照）。
【０００４】
この移動式ユニット気化トイレは、便槽の上部の便室の建屋の周囲の壁を外壁と内壁からなる二重壁とし、この二重壁の外壁と内壁の間と、天井の上を水洗用の水の貯水槽とするものであるが、このものよりさらに大量の水洗用の水を貯蔵することができ、また強風に吹かれてあおられても倒れることなく安定して設置できる構造の移動式ユニット気化トイレが求められている。さらにこの移動式ユニット気化トイレは、便槽の処理槽に空気を吹き込んで酸素を供給して好気性微生物により便尿の有機物を水や窒素や水素や炭酸ガスに分解するとともに空気攪拌しかつ内設するヒーターにより加熱することにより蒸発熱を付与して、上記の分解して生じた水や窒素や水素や炭酸ガスを気化蒸発させるものであるが、空気攪拌により処理槽内の汚物層に泡が発生し、この泡で便尿の汚物層表面が覆われることとなる結果、汚物層の表面への空気の供給が遮られることがあり、好気性微生物の活動が阻害される恐れがあった。
【０００５】
【特許文献１】
特開平９−２６８６３２号公報  （第２頁、第１図）
【０００６】
【発明が解決しようとする課題】
本発明が解決しようとする課題は、上記の出願人が開発した移動式ユニット気化トイレの有する問題を解消するもので、水洗用の水をより大量に貯蔵することができ、この大量に貯蔵した水洗用の水を便室建屋を上部に有する移動式ユニット気化トイレのおもしとなして強風にあおられて倒れることを排し、かつ、便尿の汚物を分解した汚水の気化を極少量になるまで効果的に継続可能とし、さらに分解する便尿の汚物層上に泡を立ちにくく消泡して汚物槽表面に空気の供給を良好にし、好気性微生物の活動をより活発化して気化を促進するもので、水道の設備がなく、また下水の施設の無い場所において使用可能とし、悪臭を発することなく、かつ処理槽が満杯であふれることをなくし、従って、汲み取りを不用とし、また、ユニット毎交換して設置し直す必要を排した移動式ユニット気化トイレを提供することである。
【０００７】
【課題を解決するための手段】
上記の課題を解決するための本発明の手段は、請求項１の発明では、床下部に便尿を収容する便尿処理槽を有し、床上に軽水洗の水洗便器を備えた便室と便室建屋を有する移動式ユニット気化トイレにおいて、
便室の床下の便尿処理槽の周囲に水洗用の水を貯蔵する貯水槽を配設し、便尿処理槽の側部にブロワー室を設け、便尿処理槽はその下部を隔壁で仕切って一次処理槽と気化槽とし、
【０００８】
該一次処理槽は、底部に水洗便器から受け入れた便尿及び水洗水からなる汚物層内に空気を噴出して空気攪拌する多数の散気口を有する環状空気噴出管と該環状空気噴出管の中央に前記散気口より大きな空気噴出口を有する中央空気噴出管を配設し、それらの環状空気噴出管と中央空気噴出管に配管によりブロワー室に設置のそれぞれのブロワーを接続し、該環状空気噴出管と間隔を空けた上方の汚物層内に汚物層を常温に加熱する環状電気ヒーターを配設し、さらに汚物層表面に空気を供給するために汚物層表面上で開口する空気供給管をブロワー室に設けたファンに接続し、汚物層内に噴出の攪拌空気と汚物層表面に供給の空気を汚物層内の好気性微生物に供給して汚物を一次分解して硝酸塩を含有する汚水と水素、窒素、炭酸ガスからなる気体とする処理槽とし、
【０００９】
該一次処理槽と該気化槽を区画する隔壁の該一次処理槽側の上部に溢流口を配設しかつ該気化槽内にその出口を配設して該一次処理槽から該気化槽に一次分解した汚水を供給する溢流管を配設し、
【００１０】
該気化層は、汚水中の未分解の粗大夾雑物を分離する袋状のろ過ネットを該溢流管の出口に配設して有し、粗大夾雑物を除去して受容した汚水層表面上で開口して汚水層表面に空気を吹き出す空気供給管を該ブロワー室に設けたファンに接続し、槽底部に汚水を常温に加熱する環状電気ヒーターを配設し、該空気供給管から汚水層表面に吹き出した空気を汚水層内の好気性微生物に供給して硝酸塩を含有する汚水をさらに分解して水と水素、窒素、と炭酸ガスからなる気体に二次分解し、該環状電気ヒーターの加熱により生成した水を気化する気化槽とし、
【００１１】
分解により生成の気体および気化した気体を排出する排気筒を該気化槽上の便室建屋の床から建屋外に立設したことを特徴とする移動式ユニット気化トイレである。
【００１２】
請求項２の発明では、気化槽は底部に環状凹溝を設けて該環状凹溝を硝酸塩を含む汚水および分解された水の貯留部とし、かつ、環状電気ヒーターを該環状凹溝の貯留部内に配設したことを特徴とする請求項１の手段の移動式ユニット気化トイレである。
【００１３】
請求項３の発明では、便尿処理槽の一方の側部はその下部を水洗用の水を貯蔵する貯水槽とし上部をブロワー室としたことを特徴とする請求項１又は請求項２の手段の移動式ユニット気化トイレである。
【００１４】
請求項４の発明では、水洗用の水を貯蔵する貯水槽は槽内底部に水洗用の水を硬度を高めて硬水にする成分を含有する鉱石を配設したことを特徴とする請求項１〜３のいずれか１項の手段の移動式ユニット気化トイレである。
【００１５】
請求項５の発明では、気化槽はその後部の下部に水洗用の水を貯蔵する貯水槽の一部を配置し、該貯水槽の部分の天壁の上面を底面とする領域を気化槽と一体の空隙部とし、該空隙部の底面の天板上を溢流管の出口に配設して使用した使用済みの袋状のろ過ネットを乾燥する乾燥棚としていることを特徴とする請求項１〜４のいずれか１項の手段の移動式ユニット気化トイレである。
【００１６】
本発明の作用について説明する。本発明の移動式ユニット気化トイレは、請求項１の発明の手段では、便尿などの便尿処理槽は、その下部が隔壁で仕切られ、一次処理槽と気化槽の２槽から形成されている。これらの隔壁は仕切り壁であり、かつ、便尿処理槽の側壁を支持する支持壁の役目をする。さらに、隔壁の上部は一次処理槽と気化槽の間は閉じられておらず、空気が流通して一次処理槽から排気管で一次処理槽および気化槽の気体が共に排気することができる。そして、一次処理槽は軽水洗の水洗便器から排泄された便尿と水洗水を最初に受入れる槽である。ここで軽水洗とは通常のように大量の水を流して水洗するものでは無く、２５０ｃｃの少量の水を使用して排便や排尿を便器から便尿槽に流す水洗をいう。一次処理槽の槽底には便尿からなる汚物に空気を噴出する多数の小さな孔からなる散気口を有する環状空気噴出管と、環状の中心位置に配設された中心空気噴出管を有し、便尿処理槽の側部のブロワー室のそれぞれのブロワーからこれらの空気噴出管に空気が送気され、汚物が空気攪拌され、一方、便尿処理槽側部に設けたブロワー室の一次処理槽側の側壁に備えたファンからエルボー型の空気供給管を一次処理槽の汚物層の上に配設してその開口から汚物層表面に空気を供給している。さらに環状空気噴出管の上方に離間して環状電気ヒーターが汚物層中に設けられ、汚物が常温に加熱されている。そこで、一次処理槽の便尿の汚物中には大気から混入した好気性微生物の活動が空気攪拌と適度な加熱により活発化され、その活動により便尿の汚物が一次分解され、便尿の一部が硝酸塩と水素、窒素、炭酸ガス或いは水に変えられる。これらの生成された気体は硝酸塩を含む汚水中で泡を生成する。
【００１７】
ところで汚物中に噴出空気が均一に拡散できるように、空気噴出管は環状空気噴出管とされ、かつその空気を噴出する散気口は小さな開口を多数に有するものとされている。そこで、この環状空気噴出管の散気口から噴出した細かな空気が多数の泡を形成して、汚物槽表面を覆い尽くすこととなる。このように泡で表面が覆い尽くされてしまうと、汚物層表面には新鮮な酸素を含んだ空気が接触できないこととなる。そこで、本願の発明では、この小さな空気を噴き出す散気口を有する環状空気噴出管の中心部に大きな開口を有し大きな泡として空気を噴き出す中心空気噴出管を設け、この中心空気噴出管から噴き出した大きな泡で上記の小さな泡を消泡して汚物層表面を上部から噴き出す空気と接触できるようにする。さらに、一次処理槽で生成された気体は上記の隔壁の上部を通じて流入してきた気化槽で生成の気体と共に一次処理槽の上の便室の床に立設された排気筒から便室建屋の外部に排気される。
【００１８】
汚物の一次分解により生じた水は一部未分解の硝酸塩を含有して汚水となり、一次処理槽の上方部から隔壁上部にに設けた溢流管を通じて隣接する気化槽に一次分解槽でのトイレットペーパーなどの未分解の粗大夾雑物と共に送られる。粗大夾雑物は溢流管の出口に取り付けられた袋状のろ過ネットに通されて粗大夾雑物が漉され、粗大夾雑物を除去した汚水が気化槽内に溜められる。袋状のろ過ネットの入口より下方の一定レベルに溜まった硝酸塩を含んだ汚水は、気化槽の底部に配設した電気ヒーターにより好気性微生物の最も活動する最適温度の常温に加熱される。従って、一次処理槽の環状電気ヒーターと気化槽の電気ヒーターは共に適宜手段のサーモスタットにより加熱し過ぎないように温度コントロールされている。さらに上記と同様にブロワー室の側壁に設けたファンからエルボー型の空気供給管を気化槽の汚水層の上に配設してその開口から汚水層表面に空気を供給して、汚水層に含有される未分解の硝酸塩や有機物を二次分解して水、窒素、水素、炭酸ガスなどの気体に全分解して気化する。分解されて生成の水も電気ヒーターの加熱により蒸散気化される。この分解生成された気体とこの蒸散気化した気体は上記した隔壁上から一次処理槽の上の便室に立設した排気ファンで吸気する排気筒から排気される。このように気化槽で処理されて汚水は、通常は槽底部に一定の量の汚水が溜まっているだけで、増加することなく安定している。従って、この移動式ユニット気化トイレは、汲み取り不要で、下水へ接続する必要もない。
【００１９】
請求項２の発明の手段では、請求項１の手段において、気化槽は底部に環状凹溝を設け、この環状凹溝に環状電気ヒーターを配設しているので、この環状凹溝内に硝酸塩を含む汚水および分解された水が貯留されることとなる。従って、通常の平らな槽底部からなる気化槽では、槽底部に溜められた汚水が少なくなると水位が下がって環状電気ヒーターが露出してしまうこととなり、二次分解と蒸散が続けられない。しかし、本発明の環状凹溝を有する場合では、汚水が少なくても環状凹溝にその少ない汚水が溜められるので、この環状凹溝の貯留部内の水位が十分に確保されることで、環状電気ヒーターを十分に汚水中に沈めることができ、二次分解と蒸散気化が安全かつ十分に行えることとなる。
【００２０】
請求項３の発明の手段では、上記の請求項１又は２の手段において、便尿処理槽の側部はその下部を水洗用の水を貯蔵する貯水槽としその上部をブロワー室としたので、移動式ユニット気化トイレをコンパクトにすることができる。
【００２１】
請求項４の発明の手段では、上記の請求項１〜３のいずれか１項の手段において、水洗用の水を貯蔵する貯水槽は水洗用の水を硬度を高めて硬水にする成分を含有する鉱石を有するものとしたので、水洗便器から便尿と一緒に流入した水洗水が硬水であるので、一次処理槽あるいは気化槽の汚物層に噴出した空気により生じる泡の発生を抑制して、汚物層表面が泡で覆われなくして常に新鮮な空気を汚物層表面から供給することにより好気性微生物の活動を活発化して、汚物の分解を向上させることができる。
【００２２】
さらに請求項５の発明の手段では、請求項１〜４のいずれか１項の手段において、気化槽の後部の下部に水洗用の水を貯蔵する貯水槽の一部を配置し、該貯水槽の部分の天壁の上面を底面とする領域を気化槽と一体の空隙部とし、該空隙部の底面の天壁上を溢流管の出口に配設して使用した袋状のろ過ネットを粗大夾雑物ごと取り出して使用済みのろ過ネットを乾燥する乾燥棚とし、乾燥されたろ過ネットを再度使用可能とするものである。
【００２３】
【発明の実施の形態】
図面を参照して、本発明の実施の形態を示す。図１は本発明の移動式ユニット気化トイレの便室の床下部分の概略を模式的に示す一部切断して示す立面図である。図２は本発明の移動式ユニット気化トイレの便室の床下部分の概略を模式的に示す平面図である。図３は中央空気噴出管の空気吹出し口の拡大説明図で、（ａ）は平面図、（ｂ）は立面図である。図４は移動式ユニット気化トイレの便室の床下部分を模式的に示す図１の背面図である。図５は移動式ユニット気化トイレの便尿処理槽の後部から見た模式図である。図６は移動式ユニット気化トイレの便室建屋を設けた全体を示す斜視図である。
【００２４】
本発明の移動式ユニット気化トイレ１は便尿処理槽４の上部に立設する便室建屋３からなる便室２を有し、便室２には水洗便器８が床６に設置されている。床６の下に便尿処理槽４を設け、便尿処理槽４はその上の便室建屋３と一体化して地上に設置する。便尿処理槽４の前には便室２のドア５への階段７を設ける。便尿処理槽４はその下半部を隔壁１３により前後の２槽に分離し、前方の槽を水洗便器８からの便尿と水洗水を受け入れる一次処理槽１４とし、その後側、即ち図１の左側の槽を気化槽１５とする。
【００２５】
さらに、便室２の床下の便尿処理槽４の周囲には水洗用の水を貯蔵する貯水槽１１を配設する。貯水槽１１から水洗便器８に図示しない配管により水洗水をポンプにより送給し、適宜に水洗ペダル９を踏むことで水洗水を水洗便器８内に噴出させる。
【００２６】
水洗便器８には一次処理槽１４に便尿と水洗水を落とす適宜形状の図示しない便器排出管を床６の下に設ける。便尿処理槽４の隔壁１３の上方には一次処理槽１４から気化槽１５へ通じる溢流管２９を設ける。階段７の下部には貯水槽１１を設ける。一方、便尿処理槽４の側部には上部にブロワー室１２を設ける。請求項３に係る発明の実施の形態では、このブロワー室１２の下部には同じく貯水槽１１を設ける。一次処理槽１４の底にはブロワー室１２のブロワー２１からパイプで連通する多数の散気口１７を下向きに有する環状空気噴出管１６を配設し、環状空気噴出管１６の中央には前記散気口１７よりも大径の空気噴出口１９を先端に有する中央空気噴出管１８を同じくブロワー室１２のブロワー２１からパイプで連通して配設する。図３に先端に径３５ｍｍの空気噴出口１９を有し基部が径１３ｍｍのパイプとなっている中央空気噴出管１８を拡大して示す。環状空気噴出管１６から離間して上方には常温に便尿及び水洗水からなる汚物２８を常温に加熱する環状電気ヒーター２２を汚物層２３内に配設する。このように、中央空気噴出管１８の空気噴出口１９を環状空気噴出管１６の散気口１７よりも大径とするのは、散気口１７から噴出された微細な空気泡が汚物層２３を攪拌しながら、汚物層表面２７の全面上を覆って汚物層表面２７が空気と接触し難くし、汚物層２３中の好気性微生物の活動を鈍らせることを防止するために、大径の空気噴出口１９から大きな空気の泡を汚物層２３中に吹き込むことで、上記の微細な空気泡を消泡するためである。
【００２７】
さらに一次処理槽１４の汚物層表面２７上に空気を供給するために、汚物層表面２７上で開口するエルボー型の空気供給管２４をブロワー室１２の側壁２５に設けたファン２６に接続し、汚物層２３内に空気を供給し、環状空気噴出管１６と中央空気噴出管１８から噴出の攪拌空気と共に汚物層２３内の好気性微生物に空気を供給して活性化し、汚物２８を一次分解して硝酸塩を含有する汚水３２と水素、窒素、炭酸ガスからなる気体とする。図１に示す実施の形態では、汚物層表面２７上で開口する空気供給管２４は２本を有する。このエルボー型の空気供給管２４は管径１００ｍｍの塩ビ管などとする。
【００２８】
隔壁の一次処理槽１４側の溢流口３０から溢流管２９に流れ込み溢流管２９の出口３１から汚水３２は気化槽１５に流入される。気化槽１５の溢流管２９の出口３１には袋状のろ過ネット４５を吊り下げて、汚水３２中に含有される未分解のトイレットペーパーなどの粗大夾雑物を除去する。気化槽１５の底部には、汚水３２を常温に加熱する環状電気ヒーター３５を配設する。
【００２９】
請求項２に係る発明の実施の形態では、気化槽１５は底部に環状凹溝３７を設けている。そしてこの環状凹溝３７を硝酸塩を含む汚水３２および分解された水の貯留部３８とし、この環状凹溝３７の貯留部３８内に環状電気ヒーター３５を配設して、貯留部３８内の汚水を常温に加熱する。なお、本発明のブロワー２１やファン２６や環状電気ヒーター２２、３５等の電源は、適宜、設置場所の近隣から引き込むものとする。また、便室建屋３の屋根あるいは側壁に太陽光発電板を設けて発電して供給することも可能である。
【００３０】
さらに気化槽１５には、一次処理槽１４と同様にブロワー室１２の側壁２５に設けたファン２６から汚水層表面３４上で開口するエルボー型の空気供給管２４を配設し、汚水層表面３４から汚水層３３中に空気を供給し、汚水３２を好気性微生物により分解を進めて水と水素、窒素、炭酸ガスからなる気体とする。得られた水は環状電気ヒーター３５により、常温に加熱され徐々に蒸発されてその量が減らされる。このエルボー型の空気供給管２４は管径１００ｍｍの塩ビ管などとする。
【００３１】
さらに得られた気体は気化槽１５の天板である床６に立設する排気筒３６により便室建屋３外に排気筒３６に内蔵する図示しない排気ファンにより排気される。一次処理槽１４と気化槽１５の間の隔壁１３はその上部が両槽に開口されており、両槽の空気は流通できるので、一次処理槽１４の気体は気化槽１５に立設した排気筒３６から排気される。図４に示すように、ブロワー室１２の側壁にはブロワー室１２内に空気を取り入れるためのルーバー４０が設けられている。
【００３２】
請求項４に係る発明の実施の形態では、移動式ユニット気化トイレ１において、水洗水を貯蔵する貯水槽１１の槽内底部に水洗用の水を硬度を高めて硬水にする成分、すなわち、カルシウムイオンやマグネシウムイオンを溶解して出す成分を含有する鉱石５１を、例えば図１に示すように、配設するものである。このような硬水は、酸化カルシウム当量に換算して１００ｍｇ／リットル以上を含むものである。さらに、通常ナチュラルセラミックスと称される鉱物で、Ｘ線による鉱物組成では、石英、ソーダ長石、カリ長石、雲母などからなるものを含有させる。この鉱物は段戸珪石とも呼ばれ、多孔質でもあり、遠赤外線の放射効果が高く、さらに脱臭効果、特にアンモニアの吸収効果、に優れるものである。貯水槽１１の水洗水３００リットルを貯水する場合には段戸珪石を約３ｋｇ投入する。このようにして水洗水を上記の硬水とすることで、通常ならば汚物層２３中に空気噴出し攪拌することにより生じる泡が、泡を発生することが抑えられる。従って、汚物層表面２７が泡で覆われることがなくなり、ファン２６からの空気が空気供給管２４から汚物層表面２７に十分に行き渡り、好気性微生物の活動を高めて汚物２８お汚水３２中のでんぷん質や脂肪分やタンパク質や植物繊維を水と窒素や水素や炭酸ガス等の気体に分解処理する能力を最大限に高める。
【００３３】
さらに、請求項５に係る発明の実施の形態では、気化槽１５は、その後部の下部に水洗用の水を貯蔵する貯水槽１１の一部を配置している。この貯水槽１１の天壁４２の上面を底面とする領域を気化槽１５と一体の空隙部４３としている。この空隙部４３の底面である貯水槽１１の天壁４２上を溢流管２９の出口３１に配設して使用済みとなったろ過ネット４５をトイレットペーパーなどの未分解の粗大夾雑物ごと乾燥する乾燥棚としている。この粗大夾雑物は約２か月前後で乾燥するので、取り出して有機肥料とする。この空隙部４３の上面の天板４４には、図２に見られるように、ろ過ネット４５を溢流管２９の出口３１に取付け取り外し、あるいは、ろ過ネット４５を乾燥棚に載置したり、若しくは槽内を清掃するなどの作業をするための作業口があり、通常は作業口蓋４６で閉じられている。
【００３４】
図５に示すように、移動式ユニット気化トイレ１の後部の貯水槽１１の後板４７には、ガラスなどで透視できる水位計４８を設け、貯水槽１１の水量を監視出来るものとする。さらに後板４７の上部には、貯水槽１１の水洗水をオーバーフローするドレイン４９を設けるものとする。さらに、貯水槽１１の天板４４には水洗水を供給する給水口５０を設け通常は蓋をしている。
【００３５】
図６に示すように、便尿処理槽４の上には、便室２を形成するための便室建屋３を設ける。便室建屋３には正面に半開きのドア５を取付け、水洗便器８の床６を一段高くし、この床６の奥の隅には床６に立設した分解して得られた気体を逃がす排気筒１０を立設している。便室建屋３の天井には適宜照明と換気口を設けるものとする。
【００３６】
水洗便器８の下の手前の床上には水洗水管のバルブを開き水洗水を便器に一定量放流するための常套手段の足踏み式の水洗ペダル９が設けられている。このトイレでは水洗水の一回の放水量は約２５０ｃｃの軽水洗である。便尿処理槽の周囲に配設した貯水槽１１で凡そ３００リットルの水を貯水可能とする。この移動式ユニット気化トイレ１の大きさは、出入口に臨んで横幅約０．９ｍ、奥行き約１．５ｍ、高さ約２．３ｍとする。この内、便室床面の高さが約０．１５ｍ、床面から天井までの高さが約２ｍである。
【００３７】
図１に示すように、一次処理槽１４からきた粗大夾雑物を溢流管２９の出口３１で袋状のろ過ネット４５で漉して汚水をろ過した使用済みのろ過ネット４５は、約２ヶ月に一度乾燥した新しいろ過ネット４５と取り替える。一方、使用済みのろ過ネット４５は、図１に示す気化槽１５の後方の貯水槽１１の天壁４２の上面の乾燥棚に未分解の粗大夾雑物を入れたまま載せて、約２か月前後で乾燥し、粗大夾雑物は回収して有機肥料とする。
【００３８】
【発明の効果】
以上説明したように、本発明の移動式ユニット気化トイレは、移動式の仮設用のトイレであるが、下水や水道を必要とすることなく、常に、便尿処理槽の水洗便器から入ってきた便尿等の汚物は好気性微生物に分解されて水素、窒素、炭酸ガス及び水等となり気化されるので、悪臭はなくなり、常に蒸発させるもので、本発明では、便尿処理槽の周囲に水洗用の水を貯蔵する貯水槽を配設したので、強風等にあおられても重心が下方にあるので簡単に倒れることが無く、かつ、便尿処理槽の汚物層中に空気を吹き込む空気噴出管も微細な散気口から微細な空気泡を吹出し、十分に汚物に空気を与えて好気性微生物の活動を好適とするとともに、この微細な空気泡で汚物層表面の全面が覆われて、汚物槽表面がその上の空気と接触されにくくなることを防止するために中央に大きな空気泡を噴き出す中央空気噴出管を配設することで、微細な空気泡を消泡し、さらに水洗水を硬水とする鉱石を水洗水の貯水槽に配設することで、硬水の水洗水で泡を生じにくくし、好気性微生物の活動を活発化するものである。さらに、気化槽において、気化槽の底部に環状凹溝を設けて、この環状凹溝を汚水の貯留部としたので、気化槽の汚水量が減っても、貯留部では十分に電気ヒーターが働き得る深さが得られるものとしたので、気化をより進めることが出来るなど、本発明は、従来にない優れた効果を奏するものである。
【図面の簡単な説明】
【図１】本発明の移動式ユニット気化トイレの便室の床下部分の概略を模式的に示す一部切断して示す立面図である。
【図２】本発明の移動式ユニット気化トイレの便室の床下部分の概略を模式的に示す平面図である。
【図３】中央空気噴出管の空気吹出し口の拡大説明図で、（ａ）は平面図、（ｂ）は立面図である。
【図４】移動式ユニット気化トイレの便室の床下部分を模式的に示す背面図である。
【図５】移動式ユニット気化トイレの便尿処理槽の後部から見た模式図である。
【図６】移動式ユニット気化トイレの便室建屋を設けた全体を示す斜視図である。
【符号の説明】
１  移動式ユニット気化トイレ
２  便室
３  便室建屋
４  便尿処理層
５  ドア
６  床
７  階段
８  水洗便器
９  水洗ペダル
１０  排気筒
１１  貯水槽
１２  ブロワー室
１３  隔壁
１４  一次処理槽
１５  気化槽
１６  環状空気噴出管
１７  散気口
１８  中央空気噴出管
１９  空気噴出口
２０  配管
２１  ブロワー
２２  環状電気ヒーター
２３  汚物層
２４  空気供給管
２５  側壁
２６  ファン
２７  汚物層表面
２８  汚物
２９  溢流管
３０  溢流口
３１  出口
３２  汚水
３３  汚水層
３４  汚水層表面
３５  環状電気ヒーター
３６  排気筒
３７  環状凹溝
３８  貯留部
３９  貯水槽
４０  ルーバー
４１  貯水槽
４２  乾燥棚用天壁
４３  空隙部
４４  天板
４５  ろ過ネット
４６  作業口蓋
４７  後板
４８  水位計
４９  ドレイン
５０  吸水口
５１  鉱石
【図１】
2004150086.tif 000003
【図２】
2004150086.tif 000004
【図３】
2004150086.tif 000005
【図４】
2004150086.tif 000006
【図５】
2004150086.tif 000007
【図６】
2004150086.tif 000008